(57)【特許請求の範囲】
【請求項１】
ビデ洗浄の際、水平面に対して斜め下方に進出し、便座に着座した使用者の身体局部に向けて吐水孔から洗浄水を吐水するノズルを備え、
前記ノズルは、前記ノズルの進退方向に対して垂直の成分を含む第１方向に延在し前記吐水孔に接続された吐水流路を有し、
前記便座に着座した使用者の背面から前面に向かう方向を前方とし、前記便座に着座した使用者の前面から背面に向かう方向を後方としたとき、
前記吐水流路の前方部分の前記第１方向の長さは、前記吐水流路の後方部分の前記第１方向の長さよりも長く、
前記吐水孔は、前記ノズルの後端側を向くにように前記進退方向に対して傾斜していることを特徴とする衛生洗浄装置。
【請求項２】
前記前方部分の前記吐水孔と接続された最下流部は、前記ノズルの外形を形成する外形面と同等またはそれよりも内側に形成されたことを特徴とする請求項１記載の衛生洗浄装置。
【請求項３】
前記ノズルは、第１の範囲に洗浄水を吐水する第１の吐水と、前記第１の範囲よりも広い第２の範囲に洗浄水を吐水する第２の吐水と、を切り替え可能であり、
前記第１の吐水および前記第２の吐水のうちの少なくとも前記第２の吐水の吐水孔に接続された前記吐水流路の前記前方部分の前記第１方向の長さは、前記後方部分の前記第１方向の長さよりも長いことを特徴とする請求項１または２に記載の衛生洗浄装置。
【請求項４】
前記第１の吐水から前記第２の吐水へ切り替えた際に、前記第２の吐水の吐水孔の位置は、前記第１の吐水の吐水孔の位置よりも後方であることを特徴とする請求項３記載の衛生洗浄装置。
【請求項５】
前記第２の吐水の吐水孔からの吐水方向は、前記第１の吐水の吐水孔からの吐水方向よりも前記使用者の後方の側に向いていることを特徴とする請求項３記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
従来、局部洗浄用ノズルからそのまま吐水して、女性局部すなわち膣口やその周囲の洗浄を行う吐水とは別に、局部洗浄用のノズルを移動させることなく洗浄範囲（着水時の洗浄面積）を拡大する技術として、螺旋状に旋回させた洗浄水をノズルの吐水孔から吐水できる人体洗浄装置が知られている（特許文献１）。また、同様な技術として、細分化された洗浄水を旋回状態で吐水することができる人体局部洗浄装置も知られている（特許文献２）。さらに、ビデ洗浄において、洗浄面積が広いワイド洗浄と、洗浄面積が狭いスポット洗浄と、をボタン操作により変更することができる人体局部洗浄装置も知られている（特許文献３）。
【０００３】
ここで、従来知られている局部洗浄用ノズルは、人体局部の斜め後方から吐水される形態になっている。そのような形態で、特許文献３のように、ビデ洗浄を行うと、使用者の前方に洗浄水が飛び散る可能性がある。すなわち、ビデ洗浄のうちワイド洗浄の洗浄面積は、スポット洗浄と比べて広い。そのため、ワイド洗浄では、洗浄水の飛び散りが顕著になる。しかも吐水孔から使用者の前方側まで距離があるため、特にワイド洗浄では洗浄水が使用者の前方側へ飛散しやすくなる。このように、洗浄水の飛び散りによって、使用者に不快感を与えないようするには改善の余地がある。
【先行技術文献】
【特許文献】
【０００４】
【特許文献１】特開２００１−９０１５５号公報
【特許文献２】特開２００３−２４７２６０号公報
【特許文献３】特開２０００−２８２５４５号公報
【発明の概要】
【発明が解決しようとする課題】
【０００５】
本発明は、かかる課題の認識に基づいてなされたものであり、洗浄水の飛び散りを抑制して快適なビデ洗浄を行うことができる衛生洗浄装置を提供することを目的とする。
【課題を解決するための手段】
【０００６】
第１の発明は、ビデ洗浄の際、水平面に対して斜め下方に進出し、便座に着座した使用者の身体局部に向けて吐水孔から洗浄水を吐水するノズルを備え、前記ノズルは、前記ノズルの進退方向に対して垂直の成分を含む第１方向に延在し前記吐水孔に接続された吐水流路を有し、前記便座に着座した使用者の背面から前面に向かう方向を前方とし、前記便座に着座した使用者の前面から背面に向かう方向を後方としたとき、前記吐水流路の前方部分の前記第１方向の長さは、前記吐水流路の後方部分の前記第１方向の長さよりも長く、前記吐水孔は、前記ノズルの後端側を向くにように前記進退方向に対して傾斜していることを特徴とする衛生洗浄装置である。
【０００７】
この衛生洗浄装置によれば、吐水流路の前方部分は、吐水流路の後方部分よりも長い。そのため、吐水流路の前方部分の長さが吐水流路の後方部分の長さと同一である場合と比較して、吐水流路前方部分において、身体局部における着水部分までの距離を短くすることができる。そのため、吐水された洗浄水の前方部分は、洗浄水の後方部分と比較して空気抵抗や重力の影響を受けにくく、狙いの範囲に着水しやすい。これにより、洗浄水が使用者の股間を抜けて周囲に飛び散ったり、使用者の太ももに吐水されることを抑制することができる。つまり、使用者の前側への洗浄水の飛び散りを抑制し、快適なビデ洗浄を実行することができる。
【０００８】
ここで、「ノズルの進退方向に対して垂直の成分を含む方向に延在」するとは、ノズルの進退方向に対して垂直方向に延在することはもちろんのこと、ノズルの進退方向に対して例えば４５度などの斜め方向に延在することを含むものとする。
【０００９】
また、第２の発明は、第１の発明において、前記前方部分の前記吐水孔と接続された最下流部は、前記ノズルの外形を形成する外形面と同等またはそれよりも内側に形成されたことを特徴とする衛生洗浄装置である。
【００１０】
この衛生洗浄装置によれば、吐水流路の前方部分の吐水孔と接続された最下流部は、ノズルの外形を形成する外形面と同等またはそれよりも内側に形成されている。つまり、吐水流路の前方部分の吐水孔と接続された最下流部ひいては吐水孔は、ノズルの外形を形成する外形面から外部へ突出していない。そのため、吐水孔の近傍の構造や、ノズルの全体の構造や、ケーシングの構造などを特別に考慮しなくとも、従来あるいは既知のノズル収納構造によりノズルをケーシングに収納（後退）させることができる。
【００１１】
また、第３の発明は、第１または第２の発明において、前記ノズルは、第１の範囲に洗浄水を吐水する第１の吐水と、前記第１の範囲よりも広い第２の範囲に洗浄水を吐水する第２の吐水と、を切り替え可能であり、前記第１の吐水および前記第２の吐水のうちの少なくとも前記第２の吐水の吐水孔に接続された前記吐水流路の前記前方部分の前記第１方向の長さは、前記後方部分の前記第１方向の長さよりも長いことを特徴とする衛生洗浄装置である。
【００１２】
この衛生洗浄装置によれば、着水範囲の異なる２つの吐水形態のうち、使用者の前側への洗浄水の飛び散りが生じやすい少なくとも第２の吐水において、使用者の前側への洗浄水の飛び散りを抑制できる構造が設けられている。そのため、いずれの吐水形態においても、使用者の前側への洗浄水の飛び散りを抑制し、快適なビデ洗浄を実行することができる。
【００１３】
また、第４の発明は、第３の発明において、前記第１の吐水から前記第２の吐水へ切り替えた際に、前記第２の吐水の吐水孔の位置は、前記第１の吐水の吐水孔の位置よりも後方であることを特徴とする衛生洗浄装置である。
【００１４】
この衛生洗浄装置によれば、前記第１の吐水から前記第２の吐水へ切り替えた際に、例えば、１つの吐水孔を有するノズルを後方へ移動させたり、２つの吐水孔の間で切り替えることにより、第２の吐水の吐水孔の位置を第１の吐水の吐水孔の位置よりも後方にする。そのため、吐水孔の位置を変更しない場合と比較して、使用者の前側への洗浄水の飛び散りをより抑制し、より快適なビデ洗浄を実行することができる。
【００１５】
また、第５の発明は、第３の発明において、前記第２の吐水の吐水孔からの吐水方向は、前記第１の吐水の吐水孔からの吐水方向よりも前記使用者の後方の側に向いていることを特徴とする衛生洗浄装置である。
【００１６】
この衛生洗浄装置によれば、第１の吐水と比較して使用者の前側への洗浄水の飛び散りが生じやすい第２の吐水において、身体局部における着水部分までの距離を短くすることができる。そのため、使用者の前側への洗浄水の飛び散りをより抑制し、より快適なビデ洗浄を実行することができる。
【発明の効果】
【００１７】
本発明の態様によれば、洗浄水の飛び散りを抑制して快適なビデ洗浄を行うことができる衛生洗浄装置が提供される。
【図面の簡単な説明】
【００１８】
【図１】本発明の実施の形態にかかる衛生洗浄装置を備えたトイレ装置を表す斜視模式図である。
【図２】本実施形態の便座に使用者が腰掛けた状態を例示する断面模式図である。
【図３】本実施形態のノズルが洗浄水を噴出する状態を例示する断面模式図である。
【図４】本実施形態のノズルが洗浄水を噴出する状態を例示する断面模式図である。
【図５】本実施形態にかかる衛生洗浄装置の要部構成を表すブロック図である。
【図６】本実施形態のノズルの具体例を例示する平面模式図である。
【図７】本実施形態のノズルの具体例を例示する断面模式図である。
【図８】ワイド吐水を説明するための断面模式図である。
【図９】スポット吐水を説明するための断面模式図である。
【図１０】本具体例のノズルの流路構造を説明するための模式図である。
【図１１】本具体例のノズルの流路構造を説明するための模式図である。
【図１２】本具体例のノズルの流路構造を説明するための模式図である。
【図１３】本実施形態のノズルの他の具体例を例示する断面模式図である。
【図１４】本具体例のノズルが進出した状態を表す断面模式図である。
【図１５】スポット吐水とワイド吐水とのノズルの位置の相違を説明する平面模式図である。
【図１６】スポット吐水とワイド吐水との切り替えを説明する模式図である。
【図１７】スポット吐水とワイド吐水とのノズルの角度の相違を説明する平面模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態の便座に使用者が腰掛けた状態を例示する断面模式図である。  
また、図３および図４は、本実施形態のノズルが洗浄水を噴出する状態を例示する断面模式図である。  
なお、図２、図３、および図４は、図１に表した切断面Ｃ−Ｃにおける断面模式図である。
【００２０】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２１】
ケーシング４００の内部には、便座２００に座った使用者の「おしり」の洗浄（おしり洗浄）や女性局部の洗浄（ビデ洗浄）などを実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモコンなどの操作部を操作すると、ノズル４１０を便器８００のボウル８０１内に進出させることができる。ノズル４１０は、図２に表した矢印Ａ４１ように、例えば便器８００の上面などの水平面に対して斜め下方へ進出する。なお、図１に表した衛生洗浄装置１００では、ノズル４１０がボウル８０１内に進出した状態を表している。
【００２２】
ノズル４１０の先端部には、ひとつあるいは複数の吐水孔４１１が設けられている。そして、ノズル４１０は、その先端部に設けられた吐水孔４１１から水を噴出して、便座２００に座った使用者の「おしり」や女性局部などを洗浄することができる。ノズル４１０が水を噴出する際には、吐水孔４１１は、図２に表したように、便座２００に着座した使用者６００の身体局部に対して下側の斜め後方に位置している。そのため、ノズル４１０は、図２に表した矢印Ａ４３のように、便座２００に着座した使用者６００の身体局部に対して下側の斜め後方に位置する吐水孔４１１から水を噴出し身体局部を洗浄できる。例えば、図１に表したノズル４１０では、ふたつの吐水孔４１１のうちの一方の吐水孔４１１は、ビデ洗浄用の吐水孔であり、他方の吐水孔４１１は、おしり洗浄用の吐水孔である。なお、本願明細書において「水」という場合には、冷水のみならず、加熱されたお湯も含むものとする。
【００２３】
後に詳述するように、本実施形態にかかる衛生洗浄装置１００は、身体の局部の第１の範囲に着水するようにノズル４１０の吐水孔４１１から洗浄水が噴出するスポット吐水（第１の吐水）と、第１の範囲よりも広い第２の範囲に万遍なく着水するようにノズル４１０の吐水孔４１１から円錐状の洗浄水が噴出するワイド吐水（第２の吐水）（図２に表した二点鎖線の吐水）と、を実行することができる。
【００２４】
ここで、ノズル４１０がワイド吐水を実行する場合において、吐水孔４１１から吐水された洗浄水５００の前方部分５０１は、洗浄水５００の後方部分５０３よりも大きい空気抵抗や重力の影響を受けて狙いの範囲に着水しない場合がある。そうすると、洗浄水が使用者の股間を抜けて周囲に飛び散ったり、使用者の太ももに吐水される場合がある。ここで、本願明細書においては、ノズル４１０の軸線または進出方向に対して平行な方向であって、便座２００に座った使用者からみて前方を「前方」とし、便座２００に座った使用者からみて後方を「後方」とする。また、ノズル４１０の軸線または進出方向に対して垂直な水平方向であって、便器８００の前に立った使用者からみて右側を「右側方」とし、左側を「左側方」とする。
【００２５】
また、ノズル４１０は、便座２００に着座した使用者６００の身体局部に対して下側の斜め後方に位置する吐水孔４１１から水を噴出するため、吐水孔４１１から身体局部までの距離は、吐水された洗浄水５００の前方部分５０１よりも後方部分５０３において短い。そのため、吐水された洗浄水５００の後方部分５０３は、空気抵抗や重力の影響を受けても狙いの範囲から大きく外れて着水するおそれは少ない。また、吐水された洗浄水５００の後方部分５０３の進行方向には使用者の臀部６１０が存在するため、股間を抜けて周囲に飛び散るおそれは少ない。一方、吐水孔４１１から身体局部までの距離は、吐水された洗浄水５００の後方部分５０３よりも前方部分５０１において長い。そのため、吐水された洗浄水５００の前方部分５０１は、洗浄水５００の後方部分５０３よりも大きい空気抵抗や重力の影響を受けやすく、狙いの範囲に着水しない場合がある。
【００２６】
これに対して、本実施形態では図３に表したように、吐水孔４１１に接続された吐水流路４１３の中心軸４１３ｃからみて前方部分４１５の長さは、吐水流路４１３の中心軸４１３ｃからみて後方部分４１７の長さよりも長い。言い換えれば、吐水流路４１３の前方部分４１５の吐水孔４１１に接続された最下流部４１５ａと、吐水流路４１３の後方部分４１７の吐水孔４１１に接続された最下流部４１７ａと、の間には、吐水流路４１３の中心軸４１３ｃの方向に距離Ｄ１が存在する。そして、吐水流路４１３の前方部分４１５の長さが吐水流路４１３の後方部分４１７の長さと同一である場合と比較して、吐水流路４１３の前方部分４１５の最下流部４１５ａから便座２００に着座した使用者６００の臀部６１０までの距離は短い。
【００２７】
ここで、本願明細書において「吐水流路」とは、ノズル４１０の進退方向に対して垂直の成分を含む方向に延在し、吐水孔４１１に接続された部分の流路をいうものとする。  
また、「ノズル４１０の進退方向に対して垂直の成分を含む方向に延在」するとは、ノズル４１０の進退方向に対して垂直方向に延在することはもちろんのこと、ノズル４１０の進退方向に対して例えば４５度などの斜め方向に延在することを含むものとする。  
また、本願明細書において「最下流部」とは、吐水孔４１１へ向かって流れてきた洗浄水がノズル４１０から最後に離れて空間へ噴出する部分をいうものとする。すなわち、洗浄水５００の前方部分５０１は、洗浄水５００の後方部分５０３よりも後に吐水流路４１３の前方部分４１５の最下流部４１５ａから離れて空間へ噴出する。言い換えれば、洗浄水５００の後方部分５０３は、洗浄水５００の前方部分５０１よりも先に吐水流路４１３の後方部分４１７の最下流部４１７ａから離れて空間へ噴出する。
【００２８】
また、吐水流路４１３の中心軸４１３ｃとは、洗浄水が吐水流路４１３を通過する方向に対して垂直方向の断面形状が円形の場合には、円の中心を通る軸をいうものとする。また、洗浄水が吐水流路を通過する方向に対して垂直方向の断面形状が楕円形の場合には、吐水流路４１３の中心軸４１３ｃとは、長軸と短軸との交点を通る軸をいうものとする。
【００２９】
これによれば、吐水流路４１３の前方部分４１５の長さが吐水流路４１３の後方部分４１７の長さと同一で有る場合と比較して、吐水流路４１３の前方部分４１５の最下流部４１５ａと身体局部における着水部分との間の距離を短くすることができる。そのため、吐水された洗浄水５００の前方部分５０１は、洗浄水５００の後方部分５０３と比較して空気抵抗や重力の影響を受けにくく、狙いの範囲に着水しやすい。これにより、洗浄水５００が股間を抜けて周囲に飛び散ったり、使用者６００の太ももに吐水されることを抑制することができる。つまり、使用者６００の前側への洗浄水５００の飛び散りを抑制し、快適なビデ洗浄やおしり洗浄を実行することができる。
【００３０】
あるいは、本実施形態では図４に表したように、吐水流路４１３の前方部分４１５の最下流部４１５ａは、ノズル４１０の外形を形成する外形面（胴体面）４１９と同等あるいはそれよりも内側に形成されている。つまり、吐水流路４１３の前方部分４１５の最下流部４１５ａは、ノズル４１０の外形を形成する外形面４１９から外部へ突出していない。
【００３１】
その他の構造は、図３に関して前述したノズル４１０と同様である。すなわち、吐水孔４１１に接続された吐水流路４１３の中心軸４１３ｃからみて前方部分４１５の長さは、吐水流路４１３の中心軸４１３ｃからみて後方部分４１７の長さよりも長い。言い換えれば、吐水流路４１３の前方部分４１５の吐水孔４１１に接続された最下流部４１５ａと、吐水流路４１３の後方部分４１７の吐水孔４１１に接続された最下流部４１７ａと、の間には、吐水流路４１３の中心軸４１３ｃの方向に距離Ｄ２が存在する。そして、吐水流路４１３の前方部分４１５の長さが吐水流路４１３の後方部分４１７の長さと同一である場合と比較して、吐水流路４１３の前方部分４１５の最下流部４１５ａから便座２００に着座した使用者６００の臀部６１０までの距離は短い。
【００３２】
これによれば、吐水孔４１１の近傍の構造や、ノズル４１０の全体の構造や、ケーシング４００の構造などを特別に考慮しなくとも、従来あるいは既知のノズル収納構造によりノズル４１０をケーシング４００に収納（後退）させることができる。例えば、吐水流路４１３の前方部分４１５の最下流部４１５ａや後方部分４１７の最下流部４１７ａが外形面４１９から外部へ突出している場合において、ノズル４１０が、複数の可動部を有する多段式のノズルであるときには、収納方法や収納構造を特別に考慮する必要がある。これに対して、図４に表したノズル４１０では、ノズル４１０が多段式のノズルであっても、収納方法や収納構造を特別に考慮する必要はない。また、図３に関して前述したように、使用者６００の前側への洗浄水５００の飛び散りを抑制し、快適なビデ洗浄やおしり洗浄を実行することができる。
【００３３】
図５は、本実施形態にかかる衛生洗浄装置の要部構成を表すブロック図である。  
なお、図５は、水路系と電気系の要部構成を併せて表している。  
本実施形態にかかる衛生洗浄装置１００は、水道や貯水タンクなどの図示しない給水源から供給された水を導く流路１０を有する。流路１０の上流側には、電磁弁４４０が設けられている。電磁弁４４０は、開閉可能な電磁バルブであり、ケーシング４００の内部に設けられた制御部４０１からの指令に基づいて、熱交換器４５０への水の供給を制御する。
【００３４】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。
【００３５】
熱交換器４５０の下流側には、圧力変調装置４７０が設けられている。この圧力変調装置４７０は、流路１０内の水の流れに脈動を与え、ノズル４１０の吐水孔４１１から吐水される水に脈動を与えることができる。なお、圧力変調装置４７０は、必ずしも設けられていなくともよい。
【００３６】
圧力変調装置４７０の下流側には、ノズル４１０が設けられている。ノズル４１０は、水勢（流量）の調整を行う流量調整弁４８０と、スポット吐水の際に通水される第１の流路４２７と、ワイド吐水の際に通水される第２の流路４２８と、ノズル本体４２０と、を有する。流量調整弁４８０は、水勢の調整を行うことができるとともに、ノズル４１０への給水の開閉や切替を行うことができる。より具体的に説明すると、本実施形態にかかる衛生洗浄装置１００は、身体の局部の第１の範囲に着水するようにノズル４１０の吐水孔４１１から洗浄水が噴出するスポット吐水と、第１の範囲よりも広い第２の範囲に万遍なく着水するようにノズル４１０の吐水孔４１１から円錐状の洗浄水が噴出するワイド吐水と、を実行することができる。
【００３７】
流量調整弁４８０は、制御部４０１からの指令に基づいて、第１の流路４２７へ通水したり、第２の流路４２８へ通水することができる。あるいは、流量調整弁４８０は、所定の比率で第１の流路４２７および第２の流路４２８へ通水することができる。これにより、使用者は、第１の流路４２７と第２の流路４２８とを切り替えることにより、あるいは、第１の流路４２７を通過する洗浄水の流量と、第２の流路４２８を通過する洗浄水の流量と、の比率を適宜設定変更することにより、円錐状に洗浄水を吐水させてより広い範囲を一度にさっと洗浄するワイド吐水と、より狭い範囲を重点的に洗浄するスポット吐水と、を好みに応じて切り替えることができる。これについては、後に詳述する。
【００３８】
ノズル４１０は、ノズルモータ（ノズル駆動部）４９０からの駆動力を受け、便器８００のボウル８０１内に進出したり後退することができる。そして、ノズル４１０は、ボウル８０１内に進出した状態で吐水孔４１１から水を噴射して、便座２００に座った使用者の女性局部を洗浄することができる。
【００３９】
次に、本実施形態のノズルの具体例について、図面を参照しつつ説明する。  
図６は、本実施形態のノズルの具体例を例示する平面模式図である。  
図７は、本実施形態のノズルの具体例を例示する断面模式図である。  
なお、図６は、図１に表した矢印Ａ１の方向にみたときのノズルの平面模式図である。  また、図７は、図１に表した切断面Ｃ−Ｃにおける断面模式図である。
【００４０】
本具体例のノズル４１０は、ノズル本体４２０と、スロート４３０ａ、４３０ｂと、を有する。図６および図７に表したように、スロート４３０ａには、第１の吐水孔４１１ａが形成されている。一方、スロート４３０ｂには、第２の吐水孔４１１ｂが形成されている。なお、本具体例のノズル４１０は、第１の吐水孔４１１ａおよび第２の吐水孔４１１ｂを有しているが、これだけに限定されず、第１の吐水孔４１１ａおよび第２の吐水孔４１１ｂのいずれか一方を有していてもよい。第１の吐水孔４１１ａに接続された流路などの構造は、第２の吐水孔４１１ｂに接続された流路などの構造と同様であるため、以下では、第１の吐水孔４１１ａに接続された流路などの構造を例に挙げて説明する。
【００４１】
ノズル本体４２０の内部には、図示しない水源から供給された洗浄水が通過する第１の流路４２７および第２の流路４２８と、洗浄水に旋回成分を付与する旋回室４２３と、旋回室４２３からの洗浄水を第１の吐水孔４１１ａへ導く連通路４２５と、が設けられている。また、旋回室４２３の中央部には、より安定した旋回力の旋回流を生成する突設部４２４が設けられている。
【００４２】
旋回室４２３は、円筒状に形成され底部においてより大きな径を有する大径部内周壁４２３ｅと、連通路４２５へ向かうにつれて収縮した径を有する傾斜内周壁４２３ｆと、により形成され、中空室とされている。そして、傾斜内周壁４２３ｆは、その一端において連通路４２５に接続されている。後に詳述するように、第２の流路４２８は、旋回室４２３に偏心して接続されている。より具体的には、第２の流路４２８は、旋回室４２３の大径部内周壁４２３ｅの接線方向に接続されている。
【００４３】
スロート４３０ａの内部には、ノズル本体４２０の連通路４２５から吐水された洗浄水が通過するスロート流路４３１が設けられている。スロート流路４３１の一端には、スロート流路４３１を通過した洗浄水をスロート４３０ａの外部へ噴出する第１の吐水孔４１１ａが形成されている。つまり、本具体例のスロート流路４３１は、図１〜図４に関して前述した吐水流路４１３に相当する。第１の吐水孔４１１ａの近傍のスロート流路４３１には、第１の吐水孔４１１ａへ向かうにつれて流路が拡大するテーパ部４３２が形成されている。
【００４４】
図７に表したように、スロート流路４３１の中心軸４３３ａからみて前方部分４３１ａの長さは、スロート流路４３１の中心軸４３３ａからみて後方部分４３１ｂの長さよりも長い。言い換えれば、スロート流路４３１の前方部分４３１ａの最下流部４３１ｄと、スロート流路４３１の後方部分４３１ｂの最下流部４３１ｅと、の間には、スロート流路４３１の中心軸４３３ａの方向に距離Ｄ３が存在する。そして、スロート流路４３１の前方部分４３１ａの長さがスロート流路４３１の後方部分４３１ｂの長さと同一である場合と比較して、スロート流路４３１の前方部分４３１ａの最下流部４３１ｄから便座２００に着座した使用者６００の臀部６１０までの距離は短い。「最下流部」および「中心軸」については、図１〜図４に関して前述した如くである。
【００４５】
次に、ワイド吐水について、図面を参照しつつ説明する。  
図８は、ワイド吐水を説明するための断面模式図である。  
なお、図８は、図１に表した切断面Ｃ−Ｃにおける断面模式図である。
【００４６】
ワイド吐水を実行する場合には、図示しない水源から供給される洗浄水は、第２の流路４２８を通過してノズル４１０へ供給され、旋回室４２３へ流入する。本実施形態では、第２の流路４２８は、旋回室４２３の大径部内周壁４２３ｅの接線方向に接続されている。そのため、旋回室４２３へ流入した洗浄水は、図８に表した矢印Ａ３のように、大径部内周壁４２３ｅおよび傾斜内周壁４２３ｆに沿って旋回する。そして、旋回室４２３において旋回した洗浄水は、旋回成分を維持しつつ連通路４２５を通過する。このとき、洗浄水は、より大きい旋回成分を有するため、図８に表したように、連通路４２５では縮流が生じる。そのため、連通路４２５を通過する洗浄水の実質的な面積が縮小し、洗浄水の流速は速くなる。そして、流速が速くなった洗浄水は、旋回力を維持しつつ連通路４２５を通過し、スロート４３０ａのスロート流路４３１内へ噴出する。
【００４７】
このとき、ノズル本体４２０から噴出した洗浄水は、旋回成分を維持しているため、中央部に中空部分を有する液膜として中空円錐状に噴出する。以下、説明の便宜上、このように中空円錐状に噴出した洗浄水を「中空円錐状吐水」と称する。
【００４８】
スロート流路４３１に流入した洗浄水は、旋回成分を維持しつつスロート流路４３１の内面に沿って流れ、第１の吐水孔４１１ａへ導かれる。すなわち、スロート流路４３１を通過する洗浄水は、スロート流路４３１の内面に付着するように流れる。そのため、スロート流路４３１を流れる洗浄水は、スロート流路４３１の内面から摩擦力による抵抗を受け、その洗浄水の流速は、第１の吐水孔４１１ａへ向かうにつれて小さくなる。
【００４９】
これにより、図８に表したように、第１の吐水孔４１１ａの近傍の液膜の厚さは、ノズル本体４２０から噴出したときの液膜の厚さ、あるいはスロート流路４３１に流入した直後の液膜の厚さよりも厚い。
【００５０】
さらに、スロート流路４３１を流れる洗浄水の流速は、スロート流路４３１の内面の近傍すなわち境界層よりもスロート流路４３１の中心部の方が速い。そのため、スロート流路４３１を流れる洗浄水の内部には、図８に表した矢印Ａ５、Ａ６のように、液膜を横断する方向に渦流が発生する。また、第１の吐水孔４１１ａの近傍におけるスロート流路４３１には、第１の吐水孔４１１ａへ向かうにつれて流路が拡大するテーパ部４３２が形成されているため、第１の吐水孔４１１ａから吐水される洗浄水は、テーパ部４３２に沿って流れる。そのため、第１の吐水孔４１１ａから噴出する洗浄水の内部には、液膜を横断する方向に渦流がより発生しやすい。
【００５１】
そうすると、第１の吐水孔４１１ａから噴出した洗浄水５００は、中央部に中空部分を有する液膜として、すなわち中空円錐状吐水５１０として噴出するが、第１の吐水孔４１１ａからある程度離間した位置において粒化水流（水粒）５２０へ遷移する。より具体的には、第１の吐水孔４１１ａから噴出した中空円錐状吐水５１０の内部には、液膜を横断する方向に渦流が発生しているため、第１の吐水孔４１１ａからある程度離間した位置において、隣接する渦流同士の間に亀裂が生ずる。そうすると、第１の吐水孔４１１ａから噴出した中空円錐状吐水５１０は、図８に表したように、第１の吐水孔４１１ａからある程度離間した位置において破砕される。このようにして、第１の吐水孔４１１ａから噴出した中空円錐状吐水５１０は、粒化水流５２０へ遷移する。そして、中空円錐状吐水５１０が拡散する領域の内側には、粒化水流５２０が万遍なく行き渡る。
【００５２】
このとき、図６および図７に関して前述したように、スロート流路４３１の中心軸４３３ａからみて前方部分４３１ａの長さは、スロート流路４３１の中心軸４３３ａからみて後方部分４３１ｂの長さよりも長い。そして、スロート流路４３１の前方部分４３１ａの長さがスロート流路４３１の後方部分４３１ｂの長さと同一である場合と比較して、スロート流路４３１の前方部分４３１ａの最下流部４３１ｄから便座２００に着座した使用者６００の臀部６１０までの距離は短い。
【００５３】
これによれば、スロート流路４３１の前方部分４３１ａの長さがスロート流路４３１の後方部分４３１ｂの長さと同一である場合と比較して、スロート流路４３１の前方部分４３１ａの最下流部４３１ｄと身体局部における着水部分との間の距離を短くすることができる。そのため、吐水された洗浄水５００の前方部分５０１は、洗浄水５００の後方部分５０３と比較して空気抵抗や重力の影響を受けにくく、狙いの範囲に着水しやすい。これにより、洗浄水５００が股間を抜けて周囲に飛び散ったり、使用者６００の太ももに吐水されることを抑制することができる。つまり、使用者６００の前側への洗浄水５００の飛び散りを抑制し、快適なビデ洗浄やおしり洗浄を実行することができる。
【００５４】
そして、本実施形態のワイド吐水によれば、中空円錐状吐水５１０の中空部分（洗浄水５００が拡散する領域の内側）に粒化水流５２０を万遍なく行き渡らせた状態で、便座２００に座った使用者の女性局部のより広い範囲に洗浄水を着水させることができる。そのため、所望の広い範囲を一度にさっと洗浄することができる。
【００５５】
次に、スポット吐水について、図面を参照しつつ説明する。  
図９は、スポット吐水を説明するための断面模式図である。  
なお、図９は、図１に表した切断面Ｃ−Ｃにおける断面模式図である。
【００５６】
ノズル本体４２０の内部には、第２の流路４２８と同様に、図示しない水源から供給された洗浄水が通過する第１の流路４２７が設けられている。第１の流路４２７は、旋回室４２３の軸心へ向かうように旋回室４２３の大径部内周壁４２３ｅに接続されている。
【００５７】
スポット吐水を実行する際には、図示しない水源から供給される洗浄水は、第１の流路４２７を通過してノズル４１０へ供給され、旋回室４２３へ流入する。ここで、第１の流路４２７は、旋回室４２３の軸心へ向かうように旋回室４２３の大径部内周壁４２３ｅに接続されているため、旋回室４２３へ流入した洗浄水は、図９に表した矢印Ａ４のように、第２の流路４２８を通過して旋回室４２３へ流入した洗浄水よりも小さい旋回成分を有した状態で旋回する。そして、旋回室４２３において旋回した洗浄水は、第２の流路４２８を通過して旋回室４２３へ流入した洗浄水よりも旋回成分を低減された状態で連通路４２５を通過する。このとき、洗浄水の旋回成分は低減されているため、図８に表したようには、連通路４２５では縮流は生じない。そのため、洗浄水の流速は、ワイド吐水の際に連通路４２５を通過する洗浄水の流速よりも遅い。そして、連通路４２５を通過した洗浄水は、スロート４３０ａのスロート流路４３１内へ直進流５３０として噴出する。
【００５８】
ノズル本体４２０から噴出した直進流５３０の一部は、直進流５３０から分離して液滴５４０となる。直進流５３０から分離した液滴５４０は、図９に表した矢印Ａ７のように、スロート流路４３１の内面において反射される。そして、スロート流路４３１の内面において反射された液滴５４０の一部は、再び直進流５３０と合流する。これにより、直進流５３０と周囲の空気との間において気液界面が生成される。そして、ノズル本体４２０から噴出した洗浄水は、直進流５３０と液滴５４０とが混在した状態で第１の吐水孔４１１ａから噴出する。つまり、ノズル本体４２０から噴出した洗浄水は、水粒状に吐水される。
【００５９】
スポット吐水の際に第１の吐水孔４１１ａから噴出した洗浄水は、ワイド吐水の際に第１の吐水孔４１１ａから噴出した洗浄水のようには拡散せず、中空円錐状吐水として噴出することはない。つまり、スポット吐水の際に第１の吐水孔４１１ａから噴出した洗浄水は、中空の状態ではなく、中実の状態あるいは充填された状態となっている。
【００６０】
スポット吐水の際には、連通路４２５において縮流が生じないため、直進流５３０および液滴５４０により連通路４２５およびスロート流路４３１はほぼ満水の状態となる。そのため、スポット吐水の際にも、スロート流路４３１を流れる洗浄水の一部は、スロート流路４３１の内面から摩擦力による抵抗を受けつつ、テーパ部４３２に沿って流れる。
【００６１】
これによれば、図８に関して前述したワイド吐水の場合と同様の作用により、洗浄水５００が股間を抜けて周囲に飛び散ったり、使用者６００の太ももに吐水されることを抑制することができる。つまり、使用者６００の前側への洗浄水５００の飛び散りを抑制し、快適なビデ洗浄やおしり洗浄を実行することができる。
【００６２】
そして、本実施形態のスポット吐水によれば、ワイド吐水の場合よりも狭い範囲を洗浄することができる。つまり、スポット吐水の着水範囲は、ワイド吐水の着水範囲よりも狭い。言い換えれば、ワイド吐水の着水範囲は、スポット吐水の着水範囲よりも広い。使用者は、洗浄したい洗浄箇所を好みに応じて重点的に洗浄することができる。
【００６３】
次に、本具体例のノズルの流路構造について、図面を参照しつつ説明する。  
図１０〜図１２は、本具体例のノズルの流路構造を説明するための模式図である。  
なお、図１０は、本具体例のノズルを斜め上方から眺めた斜視模式図である。  
また、図１１は、本具体例のノズルを上方から眺めた上面模式図である。  
また、図１２は、図１１に表した切断面Ａ−Ａにおける断面模式図である。  
図１０〜図１２では、第１の吐水孔４１１ａに接続された流路の構造を例に挙げて説明する。
【００６４】
本具体例のノズル４１０は、ノズル本体４２０を有する。ノズル本体４２０の内部には、第１の流路（スポット吐水用流路）４２７と、第２の流路（ワイド吐水用流路）４２８と、が設けられている。第２の流路４２８は、図１０に表したように、旋回室４２３の大径部内周壁４２３ｅの接線方向に接続されている。一方、第１の流路４２７は、図１０に表したように、旋回室４２３の軸心へ向かうように大径部内周壁４２３ｅに接続されている。その他の構造は、図６および図７に関して前述した如くである。
【００６５】
第２の流路４２８は、旋回室４２３の大径部内周壁４２３ｅの接線方向に接続されているため、第２の流路４２８を通過して旋回室４２３へ流入した洗浄水は、大径部内周壁４２３ｅおよび傾斜内周壁４２３ｆに沿って旋回する。これは、図８に関して前述した如くである。一方、第１の流路４２７は、旋回室４２３の軸心へ向かうように大径部内周壁４２３ｅに接続されているため、第１の流路４２７を通過して旋回室４２３へ流入した洗浄水は、第２の流路４２８を通過して旋回室４２３へ流入した洗浄水よりも小さい旋回成分を有した状態で旋回する。そして、旋回室４２３において旋回した洗浄水は、連通路４２５の一端、すなわち吐水孔４２６から吐水される。これは、図９に関して前述した如くである。
【００６６】
そのため、本具体例のノズル４１０によれば、第２の流路４２８のみを介して旋回室４２３へ洗浄水を流入させると、より大きな旋回力を有する中空円錐状吐水５１０を吐水孔４２６から吐水することができる。また、本具体例にかかるノズル４１０が、図６および図７に表したスロート４３０ａを有する場合には、第１の吐水孔４１１ａから吐水された中空円錐状吐水５１０は、粒化水流５２０へ遷移する。そのため、この場合には、使用者は、より広い範囲を一度にさっと洗浄することができる。
【００６７】
これに対して、第２の流路４２８のみではなく、第２の流路４２８と第１の流路４２７とを介して旋回室４２３へ洗浄水を流入させると、旋回室４２３において生ずる旋回流の旋回力は、第２の流路４２８のみを介して旋回室４２３へ洗浄水を流入させる場合よりも低減する。これは、第２の流路４２８から旋回室４２３へ流入した洗浄水による旋回流と、第１の流路４２７から旋回室４２３へ流入した洗浄水による直進流と、が干渉するためである。そのため、この場合には、第２の流路４２８のみを介して旋回室４２３へ洗浄水を流入させる場合よりも小さな旋回力を有する中空円錐状吐水５１０が吐水孔４２６から吐水される。
【００６８】
また、これに対して、第１の流路４２７のみを介して旋回室４２３へ洗浄水を流入させると、直進流５３０と液滴５４０とを吐水孔４２６から吐水することができる。そのため、この場合には、使用者は、洗浄したい洗浄箇所を好みに応じて重点的に洗浄することができる。
【００６９】
これによれば、第１の流路４２７と第２の流路４２８とを介して旋回室４２３へ洗浄水を流入させる場合、および第１の流路４２７のみを介して旋回室４２３へ洗浄水を流入させる場合には、第２の流路４２８のみを介して旋回室４２３へ洗浄水を流入させる場合よりも狭い範囲を洗浄することができる。つまり、使用者は、洗浄したい洗浄箇所を好みに応じて重点的に洗浄することができる。
【００７０】
したがって、本具体例によれば、使用者は、第１の流路４２７を通過する洗浄水の流量と、第２の流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００７１】
次に、本実施形態のノズルの他の具体例について、図面を参照しつつ説明する。  
図１３は、本実施形態のノズルの他の具体例を例示する断面模式図である。  
なお、図１３は、図１に表した切断面Ｃ−Ｃにおける断面模式図である。
【００７２】
本具体例のノズル４１０ａは、図６および図７に関して前述したノズル４１０がノズルカバー４６０により覆われた構造を有する。ノズルカバー４６０に収納されたノズル４１０は、図６および図７に関して前述した如くである。また、ノズル４１０の吐水形態（ワイド吐水およびスポット吐水）は、図８および図９に関して前述した如くである。
【００７３】
本具体例のノズルカバー４６０は、第１の孔４６１ａおよび第２の孔４６１ｂを有する。ノズル４１０の第１の吐水孔４１１ａから噴出した洗浄水は、ノズルカバー４６０の第１の孔４６１ａを通過し、便座２００に座った使用者の身体局部に着水する。一方、ノズル４１０の第２の吐水孔４１１ｂから噴出した洗浄水は、ノズルカバー４６０の第２の孔４６１ｂを通過し、便座２００に座った使用者の身体局部に着水する。
【００７４】
本具体例のノズル４１０ａでは、スロート流路４３１の前方部分４３１ａの最下流部４３１ｄは、ノズル４１０ａの外形を形成する外形面すなわちノズルカバー４６０の外形面４６９よりも内側に形成されている。つまり、スロート流路４３１の前方部分４３１ａの最下流部４３１ｄは、ノズルカバー４６０の外形面４６９から外部へ突出していない。
【００７５】
これによれば、第１の吐水孔４１１ａの近傍の構造や、ノズル４１０ａの全体の構造や、ケーシング４００の構造などを特別に考慮しなくとも、従来あるいは既知のノズル収納構造によりノズル４１０ａのケーシング４００に収納（後退）させることができる。例えば、スロート流路４３１の前方部分４３１ａの最下流部４３１ｄや後方部分４３１ｂの最下流部４３１ｅが外形面４６９から外部へ突出している場合において、ノズル４１０ａが、複数の可動部を有する多段式のノズルであるときには、収納方法や収納構造を特別に考慮する必要がある。これに対して、図１３に表したノズル４１０ａでは、ノズル４１０ａが多段式のノズルであっても、収納方法や収納構造を特別に考慮する必要はない。また、図８に関して前述したように、使用者６００の前側への洗浄水５００の飛び散りを抑制し、快適なビデ洗浄やおしり洗浄を実行することができる。
【００７６】
図１４は、本具体例のノズルが進出した状態を表す断面模式図である。  
なお、図１３は、図１に表した切断面Ｃ−Ｃにおける断面模式図である。
【００７７】
図１４に表したように、本具体例のノズル４１０ａは、第１の吐水孔４１１ａおよび第２の吐水孔４１１ｂを有する。例えば、第１の吐水孔４１１ａおよび第２の吐水孔４１１ｂのいずれか一方が、ビデ洗浄用の吐水孔であり、第１の吐水孔４１１ａおよび第２の吐水孔４１１ｂのいずれか他方が、おしり洗浄用の吐水孔であってもよい。
【００７８】
あるいは、第１の吐水孔４１１ａおよび第２の吐水孔４１１ｂのいずれか一方が、ワイド吐水用の吐水孔であり、第１の吐水孔４１１ａおよび第２の吐水孔４１１ｂのいずれか他方が、スポット吐水の吐水孔であってもよい。この場合には、ワイド吐水の吐水方向（噴出方向）は、スポット吐水の吐水方向（噴出方向）よりも便座２００に着座した使用者６００の後方側を向いていることがより好ましい。
【００７９】
ここで、本願明細書において「吐水方向」とは、吐水孔から吐水された洗浄水の中心軸の方向、あるいは吐水流路（スロート流路）の中心軸の方向をいうものとする。
【００８０】
例えば、図１４に表したノズル４１０ａにおいて、第１の吐水孔４１１ａがワイド吐水用の吐水孔として利用され、第２の吐水孔４１１ｂがスポット吐水用の吐水孔として利用されることがより好ましい。この場合には、ワイド吐水用の第１の吐水孔４１１ａに接続されたスロート流路４３１の中心軸４３３ａは、スポット吐水用の第２の吐水孔４１１ｂに接続されたスロート流路４３１の中心軸４３３ｂよりも便座２００に着座した使用者６００の後方側を向いている。
【００８１】
これによれば、ワイド吐水において、第１の吐水孔４１１ａから身体局部における着水部分までの距離をより短くすることができる。これにより、使用者６００の前側への洗浄水５００の飛び散りをより抑制し、より快適なビデ洗浄やおしり洗浄を実行することができる。但し、第１の吐水孔４１１ａがワイド吐水用の吐水孔として利用され、第２の吐水孔４１１ｂがスポット吐水用の吐水孔として利用されることに限定されるわけではない。
【００８２】
また、図１４に表したノズル４１０ａにおいて、第１の吐水孔４１１ａおよびそれに接続されたスロート流路４３１は、第２の吐水孔４１１ｂおよびそれに接続されたスロート流路４３１よりも後方あるいは後退方向の側に設けられていてもよい。これによれば、使用者６００の前側への洗浄水５００の飛び散りをさらに抑制することができる。
【００８３】
なお、図１４に関して説明したワイド吐水の吐水方向と、スポット吐水の吐水方向と、の関係は、図６および図７に関して前述したノズル４１０についても同様である。
【００８４】
次に、吐水孔の位置およびノズルの角度について、図面を参照しつつ説明する。  
図１５は、スポット吐水とワイド吐水とのノズルの位置の相違を説明する平面模式図である。  
なお、図１５では、一つの吐水孔でスポット吐水とワイド吐水とを切り替えるノズル４１０を使用した場合のノズル４１０の位置を示している。一つの吐水孔でスポット吐水とワイド吐水とを切り替える方法の１つとしては、図１０〜図１２に関して前述した切り替え方法が挙げられる。
【００８５】
図１５（ａ）は、スポット吐水の際のノズル４１０の位置を例示している。スポット吐水を行う場合、ノズル４１０は第１の基準位置Ｐ１まで進出し、この位置で第１の吐水孔４１１ａから第１の着水範囲Ｓ１に洗浄水を吐水する。
【００８６】
図１５（ｂ）は、スポット吐水からワイド吐水への切り替えを行った際のノズル４１０の位置を例示している。スポット吐水からワイド吐水へ切り替えた際、ノズル４１０はスポット吐水の際の第１の基準位置Ｐ１よりも後方の第２の基準位置Ｐ２まで後退する。これにより、ノズル４１０の位置はノズル４１０の進退の軸Ｏの方向に沿った距離Ｒ１だけ後方へ移動する。ノズル４１０の後退とともに、第１の吐水孔４１１ａの位置も後方へ距離Ｒ１だけ移動する。
【００８７】
ワイド吐水は、ノズル４１０をこの位置に移動させた状態で行われる。ノズル４１０が後退することで、ワイド吐水の際の着水範囲は第２の着水範囲Ｓ２になって、使用者６００の女性局部の前側よりも前方に洗浄水５００がはみ出して、飛び散ることを抑制できる。
【００８８】
また、図６および図７に関して前述したように、スロート流路４３１の中心軸４３３ａからみて前方部分４３１ａの長さは、スロート流路４３１の中心軸４３３ａからみて後方部分４３１ｂの長さよりも長い。そのため、洗浄水５００が股間を抜けて周囲に飛び散ったり、使用者６００の太ももに吐水されることをさらに抑制することができる。つまり、使用者６００の前側への洗浄水５００の飛び散りをさらに抑制し、快適なビデ洗浄やおしり洗浄を実行することができる。
【００８９】
ここで、スポット吐水からワイド吐水に切り替える際のノズル４１０の移動範囲である距離Ｒ１は、第２の着水範囲Ｓ２内に第１の着水範囲Ｓ１が収まる範囲になっている。すなわち、距離Ｒ１は、ノズル４１０が後退しても第２の着水範囲Ｓ２が第１の着水範囲Ｓ１よりも後方にならない距離になっている。このような距離Ｒ１になっていれば、ノズル４１０の移動は僅かになり、使用者６００にノズル４１０の移動があったことを知られずに、ノズル４１０を移動させることができる。
【００９０】
ノズル４１０の移動があったことを知られずに移動できるノズル４１０の移動量は、およそ３ｍｍである。また、ノズル４１０の移動量が９ｍｍを超えると洗浄水がおしりにかかり始めるため、３ｍｍ〜９ｍｍの間で移動量を設定することが好ましい。
【００９１】
また、ワイド吐水からスポット吐水へ切り替える際には、制御部４０１は、ノズル４１０を第２の基準位置Ｐ２よりも前方にするよう切り替える。すなわち、ワイド吐水からスポット吐水へ切り替える際、ノズル４１０は第２の基準位置Ｐ２から前方の第１の基準位置Ｐ１に戻されることになる。これにより、ワイド吐水の際に後方に移動した吐水の位置が、ワイド吐水からスポット吐水に切り替えた際に後方にずれたままになるといった問題の発生を回避できる。
【００９２】
図１６は、スポット吐水とワイド吐水との切り替えを説明する模式図である。  
図１６では、ふたつの吐水孔を有するノズル４１０を用いた場合の吐水の切り替えについて例示している。
【００９３】
図１６（ａ）は、スポット吐水の状態を例示している。スポット吐水を行う場合、ノズル４１０は第１の基準位置Ｐ１まで進出し、この位置で前方の第１の吐水孔４１１ａから第１の着水範囲Ｓ１に洗浄水を吐水する。
【００９４】
図１６（ｂ）は、スポット吐水からワイド吐水への切り替えを行った状態を例示している。スポット吐水からワイド吐水へ切り替えを行う際、ノズル４１０の移動は行われない。すなわち、ワイド吐水の際のノズル４１０の位置である第２の基準位置Ｐ２は、スポット吐水の際の第１の基準位置Ｐ１と同じである。そして、ワイド吐水では、後方の第２の吐水孔４１１ｂから第２の着水範囲Ｓ２に洗浄水を吐水する。
【００９５】
第２の吐水孔４１１ｂの位置は、第１の吐水孔４１１ａの位置よりも軸Ｏの方向に沿った距離Ｒ２だけ後方に配置されている。したがって、ワイド吐水では、スポット吐水に比べて吐水の位置が軸Ｏの方向に沿った距離Ｒ２だけ後方になる。ノズル４１０を移動させなくても、ワイド吐水の際の吐水の位置がスポット吐水の際の吐水の位置よりも後方になるため、洗浄水が使用者６００の女性局部の前側よりも前方にはみ出して、飛び散ることを抑制できる。
【００９６】
また、図６および図７に関して前述したように、第１の吐水孔４１１ａに接続されたスロート流路４３１の中心軸４３３ａからみて前方部分４３１ａの長さは、スロート流路４３１の中心軸４３３ａからみて後方部分４３１ｂの長さよりも長い。そのため、洗浄水５００が股間を抜けて周囲に飛び散ったり、使用者６００の太ももに吐水されることをさらに抑制することができる。つまり、使用者６００の前側への洗浄水５００の飛び散りをさらに抑制し、快適なビデ洗浄やおしり洗浄を実行することができる。これは、第２の吐水孔４１１ｂに接続されたスロート流路４３１についても同様である。
【００９７】
また、前方の第１の吐水孔４１１ａと後方の第２の吐水孔４１１ｂとの距離Ｒ２は、第２の着水範囲Ｓ２内に第１の着水範囲Ｓ１が収まる範囲になっている。すなわち、距離Ｒ２は、後方の第２の吐水孔４１１ｂによる吐水の第２の着水範囲Ｓ２が第１の着水範囲Ｓ１よりも後方にならない距離になっている。このような距離Ｒ２になっていれば、吐水位置の変化は僅かになり、使用者６００に吐水位置が変化したことを知られずに、吐水形態を切り替えることができる。
【００９８】
図１７は、スポット吐水とワイド吐水とのノズルの角度の相違を説明する平面模式図である。  
なお、図１７では、一つの吐水孔を有するノズル４１０を用いた場合の吐水の切り替えについて例示している。
【００９９】
図１７（ａ）は、スポット吐水の状態を例示している。スポット吐水を行う場合、ノズル４１０は、所定の基準位置まで進出し、この位置で第１の吐水孔４１１ａから第１の着水範囲Ｓ１に洗浄水を吐水する。
【０１００】
図１７（ｂ）は、スポット吐水からワイド吐水への切り替えを行った状態を例示している。スポット吐水からワイド吐水へ切り替えを行う際、ノズル４１０の角度が変化する。すなわち、ワイド吐水を行う場合のノズル４１０の軸Ｏの水平面８５０に対する角度θ２は、スポット吐水を行う場合のノズル４１０の軸Ｏの水平面８５０に対する角度θ１よりも小さい。なお、水平面８５０は、例えば便器８００の上面などである。
【０１０１】
これによれば、ワイド吐水の吐水方向（噴出方向）は、スポット吐水の吐水方向（噴出方向）よりも便座２００に着座した使用者６００の後方側へ遷移する。そして、ワイド吐水では、第１の吐水孔４１１ａから第２の着水範囲Ｓ２に洗浄水を吐水する。
【０１０２】
これによれば、ワイド吐水において、第１の吐水孔４１１ａから身体局部における着水部分までの距離をより短くすることができる。これにより、使用者６００の前側への洗浄水５００の飛び散りをより抑制し、より快適なビデ洗浄やおしり洗浄を実行することができる。
【０１０３】
また、図６および図７に関して前述したように、スロート流路４３１の中心軸４３３ａからみて前方部分４３１ａの長さは、スロート流路４３１の中心軸４３３ａからみて後方部分４３１ｂの長さよりも長い。そのため、洗浄水５００が股間を抜けて周囲に飛び散ったり、使用者６００の太ももに吐水されることをさらに抑制することができる。つまり、使用者６００の前側への洗浄水５００の飛び散りをさらに抑制し、快適なビデ洗浄やおしり洗浄を実行することができる。
【０１０４】
また、ノズル４１０の軸Ｏの水平面８５０に対する角度の変化は、第２の着水範囲Ｓ２内に第１の着水範囲Ｓ１が収まる範囲になっている。これによれば、図１５および図１６に関して前述したように、使用者６００にノズル４１０の角度が変化したことを知られずに、吐水形態を切り替えることができる。
【０１０５】
なお、図１７では、第１の吐水孔４１１ａを基準としてノズル４１０の角度が変化している状態を表しているが、ノズル４１０の角度変化の形態は、これだけに限定されるわけではない。例えば、ノズル４１０は、ケーシング４００の内部において軸支され、図示しない軸支部を中心として回動することで角度変化をしてもよい。
【０１０６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズル本体４２０やスロート４３０ａ、４３０ｂなどが備える各要素の形状、寸法、材質、配置などや第１および第２の流路４２７、４７８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
１０ 流路、  １００ 衛生洗浄装置、  ２００ 便座、  ３００ 便蓋、  ４００ ケーシング、  ４０１ 制御部、  ４０４ 着座検知センサ、  ４１０、４１０ａ ノズル、  ４１１ 吐水孔、  ４１１ａ 第１の吐水孔、  ４１１ｂ 第２の吐水孔、  ４１３ 吐水流路、  ４１３ｃ 中心軸、  ４１５ 前方部分、  ４１５ａ 最下流部、  ４１７ 後方部分、  ４１７ａ 最下流部、  ４１９ 外形面、  ４２０ ノズル本体、  ４２３ 旋回室、  ４２３ｅ 大径部内周壁、  ４２３ｆ 傾斜内周壁、  ４２４ 突設部、  ４２５ 連通路、  ４２６ 吐水孔、  ４２７ 第１の流路、  ４２８ 第２の流路、  ４３０ａ、４３０ｂ スロート、  ４３１ スロート流路、  ４３１ａ 前方部分、  ４３１ｂ 後方部分、  ４３１ｄ、４３１ｅ 最下流部、  ４３２ テーパ部、  ４３３ａ、４３３ｂ 中心軸、  ４４０ 電磁弁、  ４５０ 熱交換器、  ４６０ ノズルカバー、  ４６１ａ 第１の孔、  ４６１ｂ 第２の孔、  ４６９ 外形面、  ４７０ 圧力変調装置、  ４８０ 流量調整弁、  ４９０ ノズルモータ、  ５００ 洗浄水、  ５０１ 前方部分、  ５０３ 後方部分、  ５１０ 中空円錐状吐水、  ５２０ 粒化水流、  ５３０ 直進流、  ５４０ 液滴、  ６００ 使用者、  ６１０ 臀部、  ８００ 便器、  ８０１ ボウル、  ８５０ 水平面
【図１】
0005861980.tif 000002
【図２】
0005861980.tif 000003
【図３】
0005861980.tif 000004
【図４】
0005861980.tif 000005
【図５】
0005861980.tif 000006
【図６】
0005861980.tif 000007
【図７】
0005861980.tif 000008
【図８】
0005861980.tif 000009
【図９】
0005861980.tif 000010
【図１０】
0005861980.tif 000011
【図１１】
0005861980.tif 000012
【図１２】
0005861980.tif 000013
【図１３】
0005861980.tif 000014
【図１４】
0005861980.tif 000015
【図１５】
0005861980.tif 000016
【図１６】
0005861980.tif 000017
【図１７】
0005861980.tif 000018